(57)【要約】【課題】意図せずにスナップフィット構造の結合状態が解除されることを阻止する。【解決手段】片持ち梁になるように設けられて先端側に係合部５６が設けられた係合梁部５５と、係合梁部５５とは別の部材に設けられた被係合部６６とを有し、係合梁部５５の表側に突出する係合部５６が被係合部６６に嵌り込むことで結合状態となり、係合梁部５５を裏側に撓ませることで係合部５６が被係合部６６から外れて結合状態を解除できるように構成されたスナップフィット構造５０に対し、スナップフィット構造の外れ防止機構７０が設けられている。スナップフィット構造の外れ防止機構７０は、結合状態における係合梁部５５の裏側のうち根元側に当接又は近接するように設けられ、係合梁部５５の裏側への撓みを規制する裏側規制部７１を備えている。【選択図】図６
2019082201.tif 000002
【特許請求の範囲】
【請求項１】
片持ち梁になるように設けられて先端側に係合部が設けられた係合梁部と、前記係合梁部とは別の部材に設けられた被係合部とを有し、前記係合梁部の表側に突出する前記係合部が前記被係合部に嵌り込むことで結合状態となり、前記係合梁部を裏側に撓ませることで前記係合部が前記被係合部から外れて前記結合状態を解除できるように構成されたスナップフィット構造に対して設けられた、スナップフィット構造の外れ防止機構であって、
前記結合状態における前記係合梁部の裏側のうち根元側に当接又は近接するように設けられ、該係合梁部の裏側への撓みを規制する裏側規制部を備えている、スナップフィット構造の外れ防止機構。
【請求項２】
請求項１に記載のスナップフィット構造の外れ防止機構において、
前記結合状態における前記係合梁部の表側のうち前記裏側規制部よりも根元側の位置に当接又は近接するように設けられ、前記裏側規制部を支点にして前記係合梁部が前記被係合部に対し相対的に回転することを規制する表側規制部をさらに備えている、スナップフィット構造の外れ防止機構。
【請求項３】
請求項２に記載のスナップフィット構造の外れ防止機構において、
前記係合梁部は、前記係合部が先端側に設けられた先端側梁部と、前記先端側梁部の根元側に連続して設けられ該先端側梁部よりも幅広に形成された基端側梁部とを有し、
前記裏側規制部は、前記先端側梁部の裏側に当接又は近接するように設けられ、
前記表側規制部は、前記基端側梁部の表側のうち幅方向において前記先端側梁部より外側の位置に当接又は近接するように設けられている、スナップフィット構造の外れ防止機構。
【請求項４】
請求項１乃至３の何れか１つに記載のスナップフィット構造の外れ防止機構において、
前記裏側規制部は、前記係合梁部の裏側の根元側のうち根元から離間した位置の裏側に当接又は近接する、スナップフィット構造の外れ防止機構。
【請求項５】
片持ち梁になるように設けられて先端側に係合部が設けられた係合梁部と、前記係合梁部とは別の部材に設けられた被係合部とを有し、前記係合梁部の表側に突出する前記係合部が前記被係合部に嵌り込むことで結合状態となり、前記係合梁部を裏側に撓ませることで前記係合部が前記被係合部から外れて前記結合状態を解除できるように構成されたスナップフィット構造と、
請求項１乃至４の何れか１つに記載のスナップフィット構造の外れ防止機構とを備えた画像形成装置。
【発明の詳細な説明】
【技術分野】
【０００１】
本発明は、スナップフィット構造の外れ防止機構及びその外れ防止機構を備えた画像形成装置に関する。
【背景技術】
【０００２】
従来から、画像形成装置など様々な機器にスナップフィット構造が利用されている。スナップフィット構造は、例えば、凸部が設けられた部材を撓ませて、他の部材に設けられた凹部に凸部を嵌め込むことによって、部材同士を機械的に結合する構造である。スナップフィット構造は、金属や樹脂、プラスチックなどの材料に用いた部材同士の結合に用いられる。
【０００３】
特許文献１には、スナップフィット構造を用いてファンに取り付けられるファンカバーの構造が記載されている。また、特許文献２には、光学ハウジングに対する上カバー部材の取り付けにスナップフィット構造が用いられた画像形成装置が記載されている。
【先行技術文献】
【特許文献】
【０００４】
【特許文献１】実開平４−２２０２４号公報
【特許文献２】特開２０１４−１２３６８号公報
【発明の概要】
【発明が解決しようとする課題】
【０００５】
ここで、従来のスナップフィット構造は、意図せずに結合状態が解除される虞がある。例えば、図１２〜図１４に示すスナップフィット構造１００を用いて説明する。このスナップフィット構造１００は、第１部材１０１に設けられた係合梁部１０５の係合部１０６が、第２部材１０２に設けられた被係合部１０７に嵌り込むことで結合状態（図１３に示す状態）となるように構成されている。係合梁部１０５は、片持ち梁となるように設けられている。通常は、係合部１０６の位置で係合梁部１０５を内側に押して係合梁部１０５を撓ませることで、被係合部１０７から係合部１０６を外して結合状態を解除する。しかし、図１４に示すように、係合梁部１０５の根元側が内側に押された場合にも、係合梁部１０５が撓んで、結合状態が解除される虞がある。
【０００６】
本発明は、かかる点に鑑みてなされたものであり、その目的とするところは、意図せずにスナップフィット構造の結合状態が解除されることを阻止することにある。
【課題を解決するための手段】
【０００７】
本発明に係るスナップフィット構造の外れ防止機構は、片持ち梁になるように設けられて先端側に係合部が設けられた係合梁部と、係合梁部とは別の部材に設けられた被係合部とを有し、係合梁部の表側に突出する係合部が被係合部に嵌り込むことで結合状態となり、係合梁部を裏側に撓ませることで係合部が被係合部から外れて結合状態を解除できるように構成されたスナップフィット構造に対して設けられている。
【０００８】
そして、結合状態における係合梁部の裏側のうち根元側に当接又は近接するように設けられ、該係合梁部の裏側への撓みを規制する裏側規制部を備えている。
【０００９】
本発明に係る画像形成装置は、片持ち梁になるように設けられて先端側に係合部が設けられた係合梁部と、係合梁部とは別の部材に設けられた被係合部とを有し、係合梁部の表側に突出する係合部が被係合部に引っ掛かることで結合状態となり、係合梁部を裏側に撓ませることで係合部が被係合部から外れて結合状態を解除できるように構成されたスナップフィット構造と、上記スナップフィット構造の外れ防止機構とを備えている。
【発明の効果】
【００１０】
本発明によれば、意図せずにスナップフィット構造の結合状態が解除されることを阻止することができる。
【図面の簡単な説明】
【００１１】
【図１】図１は、実施形態における画像形成装置の概略構成を示す断面図である。
【図２】図２は、実施形態におけるハウジングの分解斜視図である。
【図３】図３は、実施形態におけるハウジングの斜視図である。
【図４】図４は、実施形態におけるハウジングを幅方向における中心で切断した断面図である。
【図５】図５は、実施形態におけるスナップフィット構造について結合状態にする過程を示すハウジング上部の斜視図である。
【図６】図６は、実施形態におけるスナップフィット構造及び外れ防止機構の拡大断面図である。
【図７】図７は、実施形態における上壁部の先端面の中央部を拡大した斜視図である。
【図８】図８は、実施形態における第２部材を幅方向の中心で切断した場合の斜視図である。
【図９】図９は、実施形態において第２規制部を設けない場合の問題点を説明するための断面図である。
【図１０】図１０は、他の実施形態における上壁部の先端面の中央部を拡大した斜視図である。
【図１１】図１１は、他の実施形態における係合梁部の斜視図である。
【図１２】図１２は、従来のスナップフィット構造の分解斜視図である。
【図１３】図１３は、従来のスナップフィット構造の結合状態の断面図である。
【図１４】図１４は、従来のスナップフィット構造の問題点を説明するための断面図である。
【発明を実施するための形態】
【００１２】
以下、本発明の実施形態を図面に基づいて詳細に説明する。なお、本発明は、以下の実施形態に限定されるものではない。以下の画像形成装置１の説明において、前側、後側は、画像形成装置１の前側、後側（図１の紙面垂直方向の手前側、奥側）を意味し、左側、右側は、画像形成装置１を前側から見たときの左側、右側を意味するものとする。
【００１３】
図１は、本発明の実施形態に係る画像形成装置１の概略構成図を示す。画像形成装置１は、タンデム方式のカラープリンターであって、箱形のケーシング２５によって覆われた画像形成装置本体２を有している。画像形成装置本体２内には画像形成部３が設けられている。画像形成部３は、ネットワーク接続等がされたコンピューター等の外部機器から伝送されてくる画像データに基づき、記録紙Ｐ（転写材Ｐ）に画像を転写形成する。
【００１４】
画像形成部３の下側には、レーザー光を出射する光走査装置４が配置され、画像形成部３の上側には、画像形成部３の各感光体ドラム１１（各像担持体１１）上に形成されたトナー像が転写される中間転写ベルト５が配置されている。中間転写ベルト５は、駆動ローラー２１と従動ローラー２２とに巻き掛けられ、これらのローラー２１，２２の間に左右方向に張られている。中間転写ベルト５は、駆動ローラー２１を回転させる駆動モーター（図示省略）によって、各感光体ドラム１１に当接可能に回転駆動される。
【００１５】
光走査装置４の下側には、記録紙Ｐを貯留する用紙貯留部６が配置されている。用紙貯留部６の左側には、手差し給紙部７が配置されている。中間転写ベルト５の右側且つ上側には、記録紙Ｐに転写形成された画像に定着処理を施す定着部８が配置されている。画像形成装置本体２の上部には、定着部８で定着処理が施された記録紙Ｐが排出される用紙排出部９が配置されている。
【００１６】
画像形成部３は、複数の画像形成ユニット１０（マゼンダ、シアン、イエロー、ブラックの各色に対応した４つの画像形成ユニット１０）を備えている。複数の画像形成ユニット１０は、中間転写ベルト５の下側部分に沿って一列に配置されている。各画像形成ユニット１０は、回転駆動される感光体ドラム１１と、各感光体ドラム１１の直下に配置された帯電器１２と、各感光体ドラム１１の左側に配置された現像ユニット１３と、各感光体ドラム１１の直上に配置された一次転写ローラー１４と、各感光体ドラム１１の右側に配置されたクリーニング部１５と備えている。
【００１７】
なお、感光体ドラム１１の端部は、ハウジング３０に収容されている（図１において図示省略）。ハウジング３０は、スナップフィット構造５０によって２つの部材が結合された結合体である。スナップフィット構造５０についての詳細は後述する。
【００１８】
各感光体ドラム１１は、帯電器１２によって周面が一定に帯電された後に、当該帯電後の感光体ドラム１１の周面に対して、所定の画像データに基づくレーザー光が光走査装置４から照射されて、各感光体ドラム１１の周面に静電潜像が形成される。この静電潜像に対して現像ユニット１３からトナー（現像剤）が供給される。その結果、各感光体ドラム１１の周面に、イエロー、マゼンタ、シアン、又はブラックのトナー像が形成される。各感光体ドラム１１の周面に形成されたトナー像は、一次転写ローラー１４に印加された転写バイアスによって中間転写ベルト５の周面に転写される。中間転写ベルト５に転写されずに感光体ドラム１１の周面に残留したトナーは、クリーニング部１５によってクリーニングされる。中間転写ベルト５は回転駆動されており、中間転写ベルト５の周面にはイエロー、マゼンタ、シアン又はブラックの各色のトナー像が、互いに重なるように順番に転写されてカラーのトナー像が形成される。
【００１９】
定着部８の下側には、二次転写ローラー１６と、二次転写ローラー１６に対向する駆動ローラー２１とが配置されている。二次転写ローラー１６は、中間転写ベルト５を介して駆動ローラー２１に当たるように、駆動ローラー２１の隣に配置されている。用紙貯留部６又は手差し給紙部７から用紙搬送路１７を通って搬送される記録紙Ｐは、二次転写ローラー１６と中間転写ベルト５とによって挟持され、二次転写ローラー１６に印加された転写バイアスによって中間転写ベルト５上のトナー像が転写される。記録紙Ｐにはカラー画像が形成される。
【００２０】
定着部８は、加熱ローラー１８と加圧ローラー１９とを備えている。定着部８は、加熱ローラー１８と加圧ローラー１９とによって記録紙Ｐを挟持して加圧しながら、記録紙Ｐを加熱して、記録紙Ｐ上に転写されたトナー像を定着させる定着処理を行う。定着処理後の記録紙Ｐは、用紙排出部９に排出される。画像形成装置１では、両面印刷を行う場合に、表側のトナー像に定着処理が施された記録紙Ｐを反転搬送路２０に通して反転させて、記録紙Ｐの裏側に画像を印刷する。
【００２１】
−スナップフィット構造について−
図２〜図５を参照しながらスナップフィット構造５０について説明する。スナップフィット構造５０は、第１部材４１と第２部材４２とを結合させてハウジング３０を構成するための構造である。なお、以下の説明では、図２の上下方向に対して「上」又は「下」を用いるものとする。
【００２２】
スナップフィット構造５０は、図２に示すように、片持ち梁になるように第１部材４１に設けられて先端側に係合部５６が設けられた係合梁部５５と、第２部材４２に設けられた被係合部６６とを備えている。係合部５６は、係合梁部５５の表側に突出する突起である。被係合部６６は、矩形の貫通孔により形成されている。スナップフィット構造５０は、係合部５６が被係合部６６に嵌り込むことで結合状態（図３及び図４に示す状態）となり、係合梁部５５を裏側に撓ませることで係合部５６が被係合部６６から外れて結合状態を解除できるように構成されている。
【００２３】
具体的に、第１部材４１は、係合梁部５５に加えて、上端部に係合梁部５５の根元が接続された第１側壁部６１を備えている。第１側壁部６１と係合梁部５５とは一体形成されている。第１側壁部６１は、略矩形板状に形成されている。第１側壁部６１の下部の内面には、第１側壁部６１の下辺に沿って凹溝６３が形成されている。係合梁部５５は、第１側壁部６１に対して略垂直方向に延びている。なお、以下の第１部材４１の説明では、係合梁部５５の長さ方向を「左右方向」と言い、係合梁部５５の幅方向を「前後方向」と言う場合がある。また、係合梁部５５では、係合部５６が設けられた側を「表側」といい、その反対側を「裏側」という。
【００２４】
係合梁部５５は、図２及び図４に示すように、係合部５６が先端側に設けられた先端側梁部５７と、先端側梁部５７の根元側に連続して設けられ先端側梁部５７よりも幅広に形成された基端側梁部５８とを備えている。係合梁部５５は、先端側から根元側に向かって見た場合に、先端側梁部５７と基端側梁部５８との境界で幅（前後方向の長さ）が大きくなっている。先端側梁部５７は、長さが基端側梁部５８よりも長い。
【００２５】
先端側梁部５７は、幅に比べて長さが長い矩形の板状に形成されている。先端側梁部５７は、幅が一定の帯状に形成されている。また、先端側梁部５７の先端側の係合部５６は、断面視において台形状の突起である。係合部５６は、先端側に近づくほど高さが低くなっている。係合部５６の根元側には、先端側梁部５７の表面から立ち上がる係合面５６ａが形成されている。
【００２６】
基端側梁部５８は、長さに比べて幅が長い矩形の板状に形成されている。基端側梁部５８の根元は、第１側壁部６１の上端部に繋がっている。基端側梁部５８は第１側壁部６１の上辺に沿って延びており、基端側梁部５８の幅は第１側壁部６１の上辺の長さに等しい。
【００２７】
基端側梁部５８の先端では、幅方向の真ん中に先端側梁部５７が繋がっている。基端側梁部５８の先端側の辺は、先端側梁部５７が繋がった中央区間７６と、先端側梁部５７の付け根から前側に延びる第１サイド区間７７と、先端側梁部５７の付け根から後ろ側に延びる第２サイド区間７８とに分かれている。第１サイド区間７７には第１先端壁８１が設けられ、第２サイド区間７８には第２先端壁８２が設けられている。各先端壁８１，８２は、基端側梁部５８から表側に突出して前後方向に延びている。各先端壁８１，８２は、先端側梁部５７の付け根から少し離れた位置から外側に延びている。第１先端壁８１の内端と第２先端壁８２の内端との距離は、先端側梁部５７の幅よりも大きい。各サイド区間７７，７８の内側（中央区間７６側）には、後述する表側規制部７２が接触する平坦領域が設けられている。
【００２８】
第２部材４２は、断面視において略コ字状に形成されている。第２部材４２は、図２に示すように、上述の被係合部６６が形成された上壁部６５と、上端部に上壁部６５の根元が接続された第２側壁部６２と、第２側壁部６２の下端部から上壁部６５に略平行に延びる底壁部６９とを備えている。第２側壁部６２と上壁部６５と底壁部６９とは一体形成されている。第２側壁部６２と上壁部６５と底壁部６９との各々は、略矩形板状に形成され、幅（前後方向の長さ）が互いに等しい。上壁部６５と底壁部６９との各々は、第２側壁部６２に対して略垂直方向に延びている。なお、以下の第２部材４２の説明では、第２側壁部６２からの上壁部６５の延伸方向を「左右方向」と言い、第２側壁部６２の上辺の延伸方向を「前後方向」と言う場合がある。
【００２９】
上壁部６５は、第２側壁部６２の上辺に沿って延びている。上壁部６５の上面（外面）は、被係合部６６の形成箇所を除いて平坦面となっている。また、上壁部６５の先端は、スナップフィット構造５０が結合状態の時に、第１部材４１の基端側梁部５８の先端に当接する部分である。上壁部６５の幅は、基端側梁部５８の幅に等しい。また、上壁部６５の厚みは、基端側梁部５８の厚みよりも大きい。
【００３０】
上壁部６５には、図４に示すように、スナップフィット構造５０を結合状態にする際に係合梁部５５を挿通させる挿通部６７が形成されている。挿通部６７は、上壁部６５において幅方向の中央部の厚みを他の部分より薄くすることによって上壁部６５の下面（内面）に形成した溝である。上壁部６５において幅方向の中央部は、挿通部６７の上側区画部７５となる。挿通部６７は左右方向に延びている。挿通部６７の入口は、上壁部６５の先端面に開口している。挿通部６７の出口は、被係合部６６に繋がっている。上側区画部７５には、被係合部６６側を部分的に厚くすることで、被係合部６６の手前で係合部５６を押し付ける押付部６８が形成されている。押付部６８の入口側の厚みは、被係合部６６側に近づくほど大きくなっている。
【００３１】
スナップフィット構造５０を結合状態にする際は、図５に示すように、上壁部６５における挿通部６７の入口の開口部６７ａから係合梁部５５が挿入される。係合梁部５５を挿入していくと、被係合部６６の手前で、押付部６８によって係合部５６が下側に押されて係合梁部５５が裏側に撓む。そして、係合部５６が押付部６８を通過すると、係合梁部５５の撓みが元に戻りながら、係合部５６が被係合部６６に嵌まり込む。これにより、スナップフィット構造５０は、係合梁部５５を引っ張っても係合部５６の係合面５６ａが被係合部６６の壁面６６ａに引っ掛かる結合状態となる。なお、図５において図示は省略するが、スナップフィット構造５０を結合状態にする際、第１部材４１の凹溝６３に第２部材４２の底壁部６９の先端部が挿入され、第１部材４１と第２部材４２との上下方向の動きが互いに規制される（図３参照）。
【００３２】
−スナップフィット構造の外れ防止機構について−
本実施形態では、スナップフィット構造５０によって結合された結合体（ハウジング３０）に、スナップフィット構造の外れ防止機構７０が設けられている。図６〜図９を参照しながらスナップフィット構造の外れ防止機構７０について説明する。スナップフィット構造の外れ防止機構７０は、図６に示すように、第１規制部７１と第２規制部７２とを備えている。
【００３３】
第１規制部７１は、スナップフィット構造５０の結合状態において係合梁部５５の裏側のうち根元側に当接するように設けられ、係合梁部５５の裏側への撓みを規制する裏側規制部に相当する。第１規制部７１は、図７及び図８に示すように、上壁部６５の先端面における挿通部６７の入口に矩形の開口部６７ａが形成されるように設けられた両端固定梁である。第１規制部７１は、上壁部６５に一体形成されている。第１規制部７１は、上壁部６５の幅方向に延びている。挿通部６７の開口部６７ａの高さは、係合梁部５５の先端部（係合部５６が設けられた部分）の高さよりも高い。なお、本明細書において、「係合梁部５５の根元側」とは、係合梁部５５の長さ方向の中心よりも根元側を意味する。
【００３４】
第１規制部７１の断面形状は、台形状（直角台形状）である。第１規制部７１は、上面と下面とが互いに平行であり、外側側面が上壁部６５の先端面に面一である。第１規制部７１の内側側面は、被係合部６６側に近づくに従って第１規制部７１の厚みが薄くなるように傾斜している。そのため、第１規制部７１の強度を確保しつつ、係合部５６を押した際に先端側梁部５７が撓みやすくなるようにしている。なお、第１規制部７１の断面形状は、台形以外の形状（例えば矩形）であってもよい。また、係合梁部５５を開口部６７ａに入れることを容易にするために、図６における第１規制部７１の断面形状において左上の角部を面取りしてもよい。
【００３５】
第１規制部７１は、スナップフィット構造５０の結合状態において、その上面が先端側梁部５７の裏面に接触するように設けられている。第１規制部７１は、係合梁部５５の根元側のうち根元から離間した位置の裏面に接触する。スナップフィット構造５０は、係合部５６が下側に押された場合に、第１規制部７１を支点にして係合梁部５５が裏側に撓んで結合状態を解除できる。一方、基端側梁部５８が下側に押された場合は、第１規制部７１によって係合梁部５５が裏側へ撓むことが阻止される。そのため、基端側梁部５８が下側に押されても結合状態を解除できない。なお、第１規制部７１は、スナップフィット構造５０の結合状態において、その上面が係合梁部５５の下面に近接するように設けてもよい。すなわち、第１規制部７１の上面は、図６の位置よりも僅かに下側であってもよい。
【００３６】
第２規制部７２は、スナップフィット構造５０の結合状態において係合梁部５５の表側のうち第１規制部７１よりも根元側の位置に当接するように設けられ、第１規制部７１を支点にして係合梁部５５が被係合部６６に対し相対的に回転することを規制する表側規制部に相当する。また、第２規制部７２は、スナップフィット構造５０を結合状態にする際に係合部５６に干渉しない位置に設けられている。
【００３７】
第２規制部７２は、図７及び図８に示すように、上壁部６５の先端面から垂直に突出する一対の突起７２である。一対の突起７２は、挿通部６７の開口部６７ａの縁部のうち幅方向に対向する箇所にそれぞれ設けられている。一対の突起７２は、上壁部６５に一体形成されている。一対の突起７２は寸法が互いに同じである
【００３８】
各突起７２は、上壁部６５の先端面を正面から見た場合に縦長の矩形状に形成されている。各突起７２は、上壁部６５の厚さ方向（上下方向）に延びている。各突起７２は、上壁部６５の上面の高さから、開口部６７ａの途中の高さまで延びている。各突起７２の下端から開口部６７ａの下端までの高さは、先端側梁部５７の厚さに略等しい。そのため、各突起７２の下端は、スナップフィット構造５０の結合状態において、基端側梁部５８の上面に当接する。具体的に、各突起７２の下端は、基端側梁部５８の各サイド区間７７，７８の内側に形成された平坦領域に当接する。各突起７２は、係合梁部５５の表側のうち係合梁部５５の幅方向において係合部５６の外側の位置に当接する。
【００３９】
ここで、図９に示すように、第１規制部７１だけを設けて各突起７２（第２規制部７２）を設けない場合は、第１規制部７１を支点にして、図９における時計回りに第１部材４１を回転させることができる。そのため、この回転によって、意図せず被係合部６６から係合部５６が外れる虞がある。それに対し、本実施形態では、図６に示すように、スナップフィット構造５０の結合状態において各突起７２の下端が、第１規制部７１よりも根元側の位置で係合梁部５５の表面に接触する。そのため、第１規制部７１を支点にして、図９における時計回りに第１部材４１を回転させることができず、図９における反時計回りに第２部材４２を回転させることもできない。そのため、意図せず被係合部６６から係合部５６が外れる虞がない。なお、第２規制部７２は、スナップフィット構造５０の結合状態において、その下面が基端側梁部５８の上面に近接するように設けてもよい。すなわち、第２規制部７２の下端は、図６の位置よりも僅かに上側であってもよい。
【００４０】
−実施形態の効果−
本実施形態では、上述したように、スナップフィット構造５０の結合状態において基端側梁部５８が下側に押された場合に、第１規制部７１によって係合梁部５５が裏側へ撓むことが阻止される。そのため、意図せずに基端側梁部５８が下側に押されても、結合状態が解除されることを防止できる。
【００４１】
また、本実施形態では、上述したように、スナップフィット構造５０の結合状態において、第１規制部７１を支点にして、係合梁部５５を被係合部６６に対し相対的に回転させることができない。そのため、この回転が意図せず生じて結合状態が解除されることを防止できる。
【００４２】
《他の実施形態》
上記実施形態では、画像形成装置１の一例としてカラープリンターを挙げて説明したが、これに限ったものではなく、画像形成装置１は、例えば複写機、複合機又はファクシミリ等であってもよい。
【００４３】
上記実施形態では、画像形成装置１における感光体ドラム１１用のハウジング３０にスナップフィット構造５０を適用した例を示したが、これに限ったものではなく、例えば画像形成装置本体２の外装や、定着部８又は現像ユニット１３のハウジングなどに適用してもよい。
【００４４】
上記実施形態では、第２規制部７２が一対の突起がであったが、図１０に示すコ字状の突起であってもよい。
【００４５】
上記実施形態では、第２規制部７２が開口部６７ａの縁部に設けられていたが、第２規制部７２は、上記実施形態よりさらに外側に設けてもよいし、基端側梁部５８の先端部以外に当接するように設けてもよい。
【００４６】
上記実施形態において、係合梁部５５は、図１１に示すようにフィルム（例えばＰＥＴフィルム）によって構成してもよい。この場合、係合梁部５５の先端側の係合部５６は、略Ｔ字状のフィルムを内側に折り曲げて形成することができる。上述の実施形態では、第２規制部７２は、スナップフィット構造５０を結合状態にする際に係合部５６に干渉しないように、結合状態における係合梁部５５の表側のうち幅方向の外側に当接するように設けたが、係合梁部５５の中央部に当接するように設けることができる。
【００４７】
上記実施形態では、第１側壁部６１の内面の下部に凹溝６３を形成したが、第１側壁部６１の内面の下部は凹溝６３を形成せずに平坦面としてもよい。
【００４８】
上記実施形態において、スナップフィット構造の外れ防止機構７０が、第１規制部７１だけを備えていてもよい。この場合、例えば、第１部材４１と第２部材４２とが相対的に回転しないように拘束されていてもよい。
【産業上の利用可能性】
【００４９】
以上説明したように、本発明は、スナップフィット構造の外れ防止機構及びその外れ防止機構を備えた画像形成装置について有用である。
【符号の説明】
【００５０】
１      画像形成装置
４１    第１部材
４２    第２部材
５０    スナップフィット構造
５５    係合梁部
５６    係合部
５７    先端側梁部
５８    基端側梁部
６６    被係合部
７１    第１規制部（裏側規制部）
７２    第２規制部（表側規制部）
【図１】
2019082201.tif 000003
【図２】
2019082201.tif 000004
【図３】
2019082201.tif 000005
【図４】
2019082201.tif 000006
【図５】
2019082201.tif 000007
【図６】
2019082201.tif 000008
【図７】
2019082201.tif 000009
【図８】
2019082201.tif 000010
【図９】
2019082201.tif 000011
【図１０】
2019082201.tif 000012
【図１１】
2019082201.tif 000013
【図１２】
2019082201.tif 000014
【図１３】
2019082201.tif 000015
【図１４】
2019082201.tif 000016